(57)【要約】【課題】容易に取り付け作業を行うことができる振動機器の取付構造、表示装置及び緩衝体を提供することにある。【解決手段】動作時に振動を伴う振動機器と該振動機器を支持するフロントキャビネット１１との間に緩衝体を介装して、前記振動機器を前記フロントキャビネット１１に取り付ける振動機器の取付構造において、前記フロントキャビネット１１は、長方形断面を有する複数の突起部を備え、前記緩衝体は、弾性を有し、該複数の突起部に嵌入可能な複数の孔を前記複数の突起部に対応する位置に形成してあり、前記孔の寸法は、前記突起部の断面幅の方向では該断面幅よりも大きく、前記突起部の断面長さの方向では、該断面長さよりも小さい。【選択図】図１
2015019322.tif 000002
【特許請求の範囲】
【請求項１】
動作時に振動を伴う振動機器と該振動機器を支持する支持体との間に緩衝体を介装して、前記振動機器を前記支持体に取り付ける振動機器の取付構造において、
前記支持体は、長方形断面を有する複数の突起部を備え、
前記緩衝体は、弾性を有し、該複数の突起部に嵌入可能な複数の孔を前記複数の突起部に対応する位置に形成してあり、
前記孔の寸法は、前記突起部の断面幅の方向では該断面幅よりも大きく、前記突起部の断面長さの方向では、該断面長さよりも小さいことを特徴とする振動機器の取付構造。
【請求項２】
前記孔は、前記突起部の断面幅よりも大きく、前記突起部の断面長さよりも小さい直径を有する円形断面の孔であることを特徴とする請求項１に記載の振動機器の取付構造。
【請求項３】
前記緩衝体は、矩形状をなし、四辺に配置された枠部材により構成された枠体であり、
前記複数の孔の周辺における枠部材の幅寸法は、前記複数の孔の周辺以外における枠部材の幅寸法より大きいことを特徴とする請求項１又は請求項２に記載の振動機器の取付構造。
【請求項４】
画像を表示する表示パネルと、
請求項１から請求項３のいずれか一つに記載の振動機器の取付構造とを備え、
前記振動機器は、スピーカであることを特徴とする表示装置。
【請求項５】
矩形状をなし、四辺に配置された枠部材により構成された枠体である緩衝体において、
該緩衝体は、弾性を有し、円形断面を有する複数の孔を形成してあり、
前記複数の孔の周辺における枠部材の幅寸法は、前記複数の孔の周辺以外における枠部材の幅寸法より大きいことを特徴とする緩衝体。 
【発明の詳細な説明】
【技術分野】
【０００１】
本発明は、スピーカ等の振動機器の取付け構造、及びこの取付け構造により取付けられた振動機器を備える表示装置及び緩衝体に関する。
【背景技術】
【０００２】
液晶表示装置、有機ＥＬ(Electro Luminescence)表示装置又はプラズマ表示装置等の表示装置の多くは、音声出力用のスピーカを備えている。スピーカは、表示パネルを収容するキャビネットの内部に、該キャビネットに設けた放音口に面して取付けられる。この取付けに際しては、スピーカが音声出力に伴って振動する振動機器であることから、スピーカとキャビネットとの間に弾性を有する緩衝体を介装し、スピーカの振動がキャビネットに伝達することを防止する取付け構造が採用されている（例えば、特許文献１参照）。
【０００３】
緩衝体は、キャビネットに設けた放音口の周囲を囲うように配置しておき、スピーカは、音声出力筒を緩衝体に重ねた状態でキャビネットに組み付けられる。特許文献１においては、放音口の周囲を囲うようにリブを設け、このリブの内周面にリブの内周面と略同一の大きさをなす枠状の緩衝体を隙間なく嵌め合わせることにより、スピーカの組み付け時の緩衝体の位置ずれを防止して確実に介装できるようにしている。
【０００４】
また特許文献２には、緩衝体の取付構造の分野で緩衝体を壁面に位置決めする構成が開示されている。この構成においては、壁面の取付け箇所に長方形断面を有する複数の突起を設ける一方、緩衝体に突起の断面長さよりも長いスリット状の切り込みを形成し、この切り込みを押し広げるように突起部に嵌め合わせることにより、壁面上で緩衝体を位置決めしている。この構成は、特許文献１において、緩衝体の位置決めに採用可能である。
【先行技術文献】
【特許文献】
【０００５】
【特許文献１】特開２０１１−１８２０５０号公報
【特許文献２】特開２００８−４９７２１号公報
【発明の概要】
【発明が解決しようとする課題】
【０００６】
しかし、特許文献１に記載の緩衝体は、リブの内周面と略同一の大きさであることにより嵌め合わせることが難しい。このため組立作業員は緩衝体の取り付け作業に手間がかかり、製造時間の遅延を発生させることがあった。
【０００７】
また、特許文献２に記載の取付構造は、スリットが直線状であるためスリットの位置を目視しづらく、さらにまた緩衝体をキャビネットに取り付ける際に、スリットを通して突起部が見えないため位置合わせが難しいという問題がある。
【０００８】
本発明は斯かる事情に鑑みてなされたものであり、その目的とするところは、容易に取り付け作業を行うことができる振動機器の取付構造、表示装置及び緩衝体を提供することにある。
【課題を解決するための手段】
【０００９】
本発明に係る振動機器の取付構造は、動作時に振動を伴う振動機器と該振動機器を支持する支持体との間に緩衝体を介装して、前記振動機器を前記支持体に取り付ける振動機器の取付構造において、前記支持体は、長方形断面を有する複数の突起部を備え、前記緩衝体は、弾性を有し、該複数の突起部に嵌入可能な複数の孔を前記複数の突起部に対応する位置に形成してあり、前記孔の寸法は、前記突起部の断面幅の方向では該断面幅よりも大きく、前記突起部の断面長さの方向では、該断面長さよりも小さいことを特徴とする。
【００１０】
本発明に係る振動機器の取付構造は、前記孔は、前記突起部の断面幅よりも大きく、前記突起部の断面長さよりも小さい直径を有する円形断面の孔であることを特徴とする。
【００１１】
本発明に係る振動機器の取付構造は、前記緩衝体は、矩形状をなし、四辺に配置された枠部材により構成された枠体であり、前記複数の孔の周辺における枠部材の幅寸法は、前記複数の孔の周辺以外における枠部材の幅寸法より大きいことを特徴とする。
【００１２】
本発明に係る表示装置は、画像を表示する表示パネルと、振動機器の取付構造とを備え、前記振動機器は、スピーカであることを特徴とする。
【００１３】
本発明に係る緩衝体は、矩形状をなし、四辺に配置された枠部材により構成された枠体である緩衝体において、該緩衝体は、弾性を有し、円形断面を有する複数の孔を形成してあり、前記複数の孔の周辺における枠部材の幅寸法は、前記複数の孔の周辺以外における枠部材の幅寸法より大きいことを特徴とする。
【発明の効果】
【００１４】
本発明によれば、取付構造は、緩衝体が弾性を有し、複数の突起部に嵌入可能な複数の孔を複数の突起部に対応する位置に形成してあり、孔の寸法が、突起部の断面幅の方向では断面幅よりも大きく、突起部の断面長さの方向では、断面長さよりも小さい。
このことにより、孔の寸法が、突起部の断面幅の方向では断面幅よりも大きいことで目視し易い。このため本発明に係る取付構造は容易に取り付け作業を行うことができる。
【図面の簡単な説明】
【００１５】
【図１】表示装置の構成の一例を示す外観斜視図である。
【図２】表示装置に備えるフロントキャビネットの背面斜視図である。
【図３】スピーカの構成の一例を示す外観斜視図である。
【図４】緩衝体の構成の一例を示す外観斜視図である。
【図５】フロントキャビネットの放音口近傍を示す背面斜視図である。
【図６】緩衝体の取り付け手順を示す説明図である。
【図７】緩衝体の貫通孔付近を示す説明図である。
【図８】実施の形態２に係る緩衝体の貫通孔付近を示す説明図である。
【発明を実施するための形態】
【００１６】
以下、本発明をその実施の形態を示す図面に基づいて詳述する。以下の説明では各図中の上下、左右を使用する。
【００１７】
実施の形態１
図１は表示装置の構成の一例を示す外観斜視図である。図１に示すように、表示装置は一面（表示面）に映像を表示する表示パネル２と、表示パネル２を収容する箱状のキャビネット１とを備える。キャビネット１はフロントキャビネット１１及びリアキャビネット１２を備える。
【００１８】
図２は表示装置に備えるフロントキャビネット１１の背面斜視図である。図２に示すように、フロントキャビネット１１は、矩形平板の４辺を適幅に余して矩形に開口する表示窓１１０が開設してある枠体である。表示パネル２は、表示面を表示窓１１０の正面に向けてフロントキャビネット１１に保持されている。
【００１９】
フロントキャビネット１１の背面は、表示窓１１０の一辺に沿う部分が広幅としてある。この広幅部分は、表示装置としての設置時に下位置となる部分であり、種々の周辺機器の配置スペースを提供すべく設けてある。この配置スペースの左右両側は、左右方向に長い矩形状を有する放音口１１３、１１３が設けてあり、音声出力のための一対のスピーカ３、３（図３参照）の配置に利用されている。
【００２０】
リアキャビネット１２はフロントキャビネット１１とほぼ同型の浅型に成形された皿形状を有している。フロントキャビネット１１と、リアキャビネット１２とは、リアキャビネット１２の正面をフロントキャビネット１１の背面に重ね、例えば、重ねられた両者の周縁部の複数箇所をねじ止めすることにより一体に接合されるようになしてある。
【００２１】
図３はスピーカ３の構成の一例を示す外観斜視図である。図３に示すようにスピーカ３はスピーカ台３０及びスピーカ本体を備える。スピーカ台３０は左右方向に長い直方体の箱体であり、下面側に横長の略矩形に開口された音声出力筒３２を備え、上面側に円状のバスレフポートが開設されたバスレフ型のスピーカである。スピーカ本体は音声出力筒３２の基部に音波を放音するための振動板を臨ませて取り付けてある。このように構成されたスピーカ３において、スピーカ本体は、振動板を振動させて音声を出力し、この音声出力は、音声出力筒３２を経て外部に送り出される。
【００２２】
ボス部３１、３１はスピーカ３の左右方向の両端部に設けられ、上下方向を向いた円筒型のブッシュ３１ａ、３１ａを取り付けている。なお、ブッシュ３１ａ、３１ａは、独立気泡型の発泡プラスチック等の可撓性の素材で構成されている。
【００２３】
図４はスピーカ３の取付に使用する緩衝体の一例を示す外観斜視図である。図４に示すように緩衝体７は左右方向に長い略矩形枠型の板材であり、独立気泡型の発泡プラスチック等の可撓性の素材で構成されている。独立気泡型の発泡プラスチックとは例えばエチレン酢酸ビニル共重合体である。緩衝体７は内周面から内向きに延出される延出部７２、７２、７２を備え、延出部７２、７２、７２の夫々の位置には円形断面の貫通孔（孔）７１、７１、７１が厚さ方向に貫通され、左短辺の中央部及び右短辺の中央部に外縁を矩形状に切除されてなる欠落部７３、７３を有している。
【００２４】
図５はフロントキャビネット１１の放音口１１３近傍を示す背面斜視図である。図５に示すようにフロントキャビネット１１はボス１１１、１１１、位置決めリブ１１２、１１２、１１２、突起部１１４、１１４を備える。
【００２５】
突起部１１４、１１４は矩形断面の柱体であり、放音口１１３の左端及び右端から離隔された位置の夫々に垂直に立設され、緩衝体７の欠落部７３、７３の夫々の位置に対応づけられている。
【００２６】
位置決めリブ１１２、１１２、１１２は、矩形断面の柱体であり、放音口１１３の一長辺から離隔した位置に立設されている。ボス部１１１、１１１は円筒状であり、突起部１１４、１１４の両側から離隔した位置に垂直に立設され、スピーカ３のボス部３１、３１に夫々設けられたブッシュ３１ａ、３１ａと同じ外径を有し、基部近傍の外周に径方向外向きに張り出すように設けた複数の支えリブ１１ｂ、１１ｂ、１１ｂ…を備える。支えリブ１１ｂ、１１ｂ、１１ｂの数は３つ以上である必要があり、これらは、ボス部１１１の周方向に等配をなして設けられているのが望ましい。
【００２７】
図６は緩衝体７の取り付け手順を示す説明図である。緩衝体７は、放音口１１３に対して位置決めし、貫通孔７１、７１、７１、欠落部７３、７３を位置決めリブ１１２、１１２、１１２、突起部１１４、１１４に嵌合させることによりフロントキャビネット１１に取り付けることで仮止めされる。スピーカ３は、放音口１１３に音声出力筒３２を当接し、ボス部３１、３１のブッシュ３１ａ、３１ａを、ボス部１１１の先端から挿通した後、支えリブ１１ｂ、１１ｂ、１１ｂ…の先端に当接することにより、ボス部３１、３１にてスピーカ３を支える作用をなす。スピーカ３は、ボス部３１、３１からワッシャを挟んでネジをネジ孔１１ａに螺入することによりフロントキャビネット１１に位置決め固定される。
【００２８】
図７は緩衝体７の貫通孔７１、７１、７１付近を示す説明図である。図７Ａは放音口１１３に対して位置決めした緩衝体７の貫通孔７１、７１、７１付近を上面から見た説明図である。図７Ｂはフロントキャビネット１１に取り付けられた緩衝体７の貫通孔７１、７１、７１を上面から見た説明図である。
【００２９】
図７Ａに示すように、貫通孔７１、７１、７１が位置決めリブ１１２、１１２、１１２の断面幅よりも大きく、位置決めリブ１１２、１１２、１１２の断面長さよりも小さい円形断面であることにより、組み立て作業員は上面から貫通孔７１、７１、７１を通して位置決めリブ１１２、１１２、１１２を目視することで容易に位置合わせをすることができる。
【００３０】
図７Ｂに示すように、位置合わせをした貫通孔７１、７１、７１が位置決めリブ１１２、１１２、１１２に嵌入れられた場合、貫通孔７１、７１、７１は位置決めリブ１１２、１１２、１１２の形状に基づいて貫通孔７１、７１、７１は左右方向における長さの変化が小さく、上下方向における長さの変化が大きい変形をする。
【００３１】
このことにより、緩衝体７は左右方向の長さが延びることによって発生する貫通孔７１、７１、７１の位置のずれが発生しない。このため組立作業員は取り付け位置のずれを引き起こしにくくなる。
【００３２】
なお、上述ではフロントキャビネット１１の左側下部についてのみ図示して説明をしたが、同様な構成がフロントキャビネット１１の右側下部に設けてある。
【００３３】
貫通孔７１、７１、７１は緩衝体７の一短辺でなく、一長辺に設けられていることにより、一短辺に設けるより多数の孔を設けることができるため、緩衝体７をより安定的にキャビネット１に固定することができる。
【００３４】
また、実施の形態１に係る取付構造は、内周面から内向きに延出される延出部７２、７２、７２を設けることにより貫通孔７１、７１、７１を大きくすることができる。このため、組立作業員は貫通孔７１、７１、７１を目視しやすくなる。
【００３５】
また、本実施の形態では緩衝体７を介してスピーカ３をフロントキャビネット１１に取り付けたが、フロントキャビネット１１には他の振動機器を取り付けてもよい。振動機器は例えば、ハードディスクドライブ又はブルーレイディスクプレイヤーでもよい。
【００３６】
実施の形態２
図８は実施の形態２に係る緩衝体７の貫通孔７１、７１、７１付近を示す説明図である。図８Ａは実施の形態２に係る放音口１１３に対して位置決めした緩衝体７の貫通孔７１、７１、７１付近を上面から見た説明図である。図８Ｂは実施の形態２に係るフロントキャビネット１１に取り付けられた緩衝体７の貫通孔７１、７１、７１を上面から見た説明図である。
【００３７】
図８Ａに示すように、貫通孔７１、７１、７１が位置決めリブ１１２、１１２、１１２の断面幅よりも大きく、位置決めリブ１１２、１１２、１１２の断面長さよりも小さい矩形断面であることにより、組み立て作業員は上面から貫通孔７１、７１、７１を通して位置決めリブ１１２、１１２、１１２を目視することで容易に位置合わせをすることができる。
【００３８】
図８Ｂに示すように、位置合わせをした貫通孔７１、７１、７１が位置決めリブ１１２、１１２、１１２に嵌入れられた場合、貫通孔７１、７１、７１は位置決めリブ１１２、１１２、１１２の形状に基づいて左右方向における長さの変化が小さく、上下方向における長さの変化が大きい変形をする。
【００３９】
貫通孔７１が矩形状であることにより、貫通孔７１が位置決めリブ１１２に対して傾斜しているか否か容易に判断することができる。このため組立作業員は取り付け位置のずれをより引き起こしにくくなる。
【００４０】
なお、実施の形態１、実施の形態２では円形断面、矩形断面の貫通孔７１を用いたが、他の形状でもよく、貫通孔７１、７１、７１の寸法が、位置決めリブ１１２、１１２、１１２の断面幅の方向では該断面幅よりも大きく、位置決めリブ１１２、１１２、１１２の断面長さの方向では、該断面長さよりも小さければよい。例えば、貫通孔７１、７１、７１は楕円又は三角形等でもよい。
【００４１】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【００４２】
本発明の一態様によれば、振動機器の取付構造は、動作時に振動を伴う振動機器と該振動機器を支持する支持体との間に緩衝体７を介装して、前記振動機器を前記支持体に取り付ける振動機器の取付構造において、前記支持体は、長方形断面を有する複数の突起部１１４を備え、前記緩衝体７は、弾性を有し、該複数の突起部１１４に嵌入可能な複数の孔を前記複数の突起部１１４に対応する位置に形成してあり、前記孔の寸法は、前記突起部１１４の断面幅の方向では該断面幅よりも大きく、前記突起部１１４の断面長さの方向では、該断面長さよりも小さいことを特徴とする。
【００４３】
本発明の一態様によれば、振動機器の取付構造は、動作時に振動を伴う振動機器と振動機器を支持する支持体との間に緩衝体７を介装して、振動機器を支持体に取り付ける。支持体は、長方形断面を有する複数の突起部１１４を備える。緩衝体７は、弾性を有し、複数の突起部１１４に嵌入可能な複数の孔を複数の突起部１１４に対応する位置に形成してある。孔の寸法は、突起部１１４の断面幅の方向では断面幅よりも大きく、突起部１１４の断面長さの方向では、断面長さよりも小さい。
このことにより、孔の寸法が、突起部１１４の断面幅の方向では断面幅よりも大きいことで目視し易い。このため本発明に係る取付構造は容易に取り付け作業を行うことができる。
【００４４】
本発明の一態様によれば、振動機器の取付構造は、前記孔は、前記突起部１１４の断面幅よりも大きく、前記突起部１１４の断面長さよりも小さい直径を有する円形断面の孔であることを特徴とする。
【００４５】
本発明の一態様によれば、孔は、突起部１１４の断面幅よりも大きく、突起部１１４の断面長さよりも小さい直径を有する円形断面の孔である。
このことにより孔を通して突起部１１４を目視することができ、容易に位置合わせをすることができる。
【００４６】
本発明の一態様によれば、振動機器の取付構造は、前記緩衝体７は、矩形状をなし、四辺に配置された枠部材により構成された枠体であり、前記複数の孔の周辺における枠部材の幅寸法は、前記複数の孔の周辺以外における枠部材の幅寸法より大きいことを特徴とする。
【００４７】
本発明の一態様によれば、緩衝体７は、矩形状をなし、四辺に配置された枠部材により構成された枠体であり、複数の孔の周辺における枠部材の幅寸法は、複数の孔の周辺以外における枠部材の幅寸法より大きくすることで、緩衝体７に設けられた孔を大きくすることができる。このため、組立作業員は孔を目視しやすくなる。
【００４８】
本発明の一態様によれば、表示装置は、画像を表示する表示パネル２と、振動機器の取付構造とを備え、前記振動機器は、スピーカ３であることを特徴とする。
【００４９】
本発明の一態様によれば、表示装置は、画像を表示する表示パネル２と、振動機器の取付構造とを備え、振動機器は、スピーカ３であることを特徴とする。
このため、表示装置はスピーカ３の振動をスピーカ３以外の機器に伝達されにくくなる。
【００５０】
本発明の一態様によれば、緩衝体７は、矩形状をなし、四辺に配置された枠部材により構成された枠体である緩衝体７において、該緩衝体７は、弾性を有し、円形断面を有する複数の孔を形成してあり、前記複数の孔の周辺における枠部材の幅寸法は、前記複数の孔の周辺以外における枠部材の幅寸法より大きいことを特徴とする。
【００５１】
本発明の一態様によれば、緩衝体７は、矩形状をなし、四辺に配置された枠部材により構成された枠体である緩衝体７において、該緩衝体７は、弾性を有し、円形断面を有する複数の孔を形成してあり、前記複数の孔の周辺における枠部材の幅寸法は、前記複数の孔の周辺以外における枠部材の幅寸法より大きい。
【符号の説明】
【００５２】
１  キャビネット（支持体）
２  表示パネル
３  スピーカ（振動機器）
７  緩衝体
７１  貫通孔（孔）
１１４  突起部
【図１】
2015019322.tif 000003
【図２】
2015019322.tif 000004
【図３】
2015019322.tif 000005
【図４】
2015019322.tif 000006
【図５】
2015019322.tif 000007
【図６】
2015019322.tif 000008
【図７】
2015019322.tif 000009
【図８】
2015019322.tif 000010